(57)【特許請求の範囲】
【請求項１】
設置面に対して立設可能な本体と、
下側連結部を介して前記本体に連結されたアームと、
上側連結部を介して前記アームに連結された灯部とを備え、
前記下側連結部が、前記設置面に対して略垂直な下側第１支軸を介して前記本体に連結されているとともに、前記下側第１支軸に対して直交する下側第２支軸を介して前記アームに連結され、前記上側連結部が、前記下側第２支軸に対して平行な上側第１支軸を介して前記アームに連結されているとともに、前記上側第１支軸に対して直交する上側第２支軸を介して前記灯部に連結され、前記本体の表面と前記灯部の表面とが同一面に沿う最小形態にて折り畳まれた状態となることが可能なように、前記各部の前記各連結がなされており、
前記本体の背面に設けられた凹部から電源線が引き出されており、かつ、前記下側第１支軸を中心として前記本体に対して前記下側連結部を回動させるために必要な第１操作力と前記上側第２支軸を中心として前記上側連結部に対して前記灯部を回動させるために必要な第２操作力とが異なっている、ことを特徴とするスタンド型照明器具。
【発明の詳細な説明】
【技術分野】
【０００１】
本発明は、机上等の照明として用いることができ、インテリアとしても用いることができるスタンド型照明器具に関するものである。
【背景技術】
【０００２】
従来のスタンド型照明器具は、使い勝手およびインテリアとしても使用するため、種々の形状のものが製造されており、回転や展開等の動作によって形状を変化させるものも多く製造されている（例えば、特許文献１および特許文献２参照）。
図１５に示すように、特許文献１に記載の照明器具１００は、基台１０１と、この基台１０１に対して固定された器具本体１０２と、この器具本体１０２に対して自在器具１０３を介して取り付けられ、上下に回動することにより接近離反可能に設けられた灯具１０４を有している。そして、灯具１０４を器具本体１０２に接近した状態で、器具本体１０２と灯具１０４とが略円柱形状となるように、器具本体１０２および灯具１０４の形状を設定している。
【０００３】
これにより、灯具１０４を器具本体１０２に対して接近離反することにより、多様な配光が可能となるとともに、灯具１０４を器具本体１０２に接近した状態で略円柱形状となるので、照明器具１００をコンパクトにすることができる。また、器具本体１０２と灯具１０４との間の隙間から洩れる照明光により、間接照明が得られるようになっている。
【０００４】
また、図１６に示すように、特許文献２に記載の電気スタンド１１０は、スタンド台１１１と、セード１１２を有してスタンド台１１１に支持された灯具１１３とを備えている。スタンド台１１１の上面には、自在器１１４を介して支柱１１５が垂直面内において上下に回動可能に取り付けられており、支柱１１５の先端には、自在器１１６を介して灯具１１３が垂直面内および水平面内に回動可能に設けられている。また、灯具１０４は、鉛直方向に設けられた支軸を介して支柱１１５に取り付けられているので、支柱１１５に対して灯具１１３が水平面内において回動可能に取り付けられている。
なお、スタンド台１１１はベース１１７の上面に固定的に設けられている。また、スタンド台１１１の正面に操作部（スイッチ１１８）が設けられており、スタンド台１１１の背面から電力供給用の電源線が引き出されるとともに、サービスコンセントが設けられている。
【０００５】
また、図示はしないが、前述した底面が平坦なベースや基台の代わりに、机の天板を厚み方向に挟持する万力により立設される照明器具もよく知られている。この万力タイプでは、設置面に対して直交する回動軸を中心として万力台座に対して本体が回動可能となっている。
【特許文献１】特開平９−３５５１３号公報（第１図）
【特許文献２】特開２００３−２５７２２６号公報（第１図）
【発明の開示】
【発明が解決しようとする課題】
【０００６】
しかしながら、前述した特許文献２に記載の電気スタンド１１０では、上側の自在器１１６の鉛直軸を中心として支柱１１５に対して灯具１１３を首振回動させることにより照明光の照射範囲を選択するが、さらに照明光の照射範囲を選択できる範囲を広くする場合には、電気スタンド１１０全体の向きを変える必要がある。この場合、スタンド台１１１の正面に設けられている操作部の向きが変わり使用者の操作性が損なわれる可能性がある。また、電気スタンド１１０の方向を変える場合には、サービスコンセントに接続されたプラグや電源線が周囲の卓上品や壁に干渉したり、電源線に無理な曲げ負荷が加わったり、あるいはプラグや電源線が干渉することにより電気スタンド１１０の向きが変えられない可能性もある。
【０００７】
本発明は、従来の問題を解決するためになされたもので、照明光の照射範囲を選択できる範囲を広くできるとともに、良好な操作性が得られるスタンド型照明器具を提供することを目的とする。
【課題を解決するための手段】
【０００８】
本発明のスタンド型照明器具は、設置面に対して立設可能な本体と、下側連結部を介して前記本体に連結されたアームと、上側連結部を介して前記アームに連結された灯部とを備え、前記下側連結部が、前記設置面に対して略垂直な下側第１支軸を介して前記本体に連結されているとともに、前記下側第１支軸に対して直交する下側第２支軸を介して前記アームに連結され、前記上側連結部が、前記下側第２支軸に対して平行な上側第１支軸を介して前記アームに連結されているとともに、前記上側第１支軸に対して直交する上側第２支軸を介して前記灯部に連結され、前記本体の表面と前記灯部の表面とが同一面に沿う最小形態にて折り畳まれた状態となることが可能なように、前記各部の前記各連結がなされており、前記本体の背面に設けられた凹部から電源線が引き出されており、かつ、前記下側第１支軸を中心として前記本体に対して前記下側連結部を回動させるために必要な第１操作力と前記上側第２支軸を中心として前記上側連結部に対して前記灯部を回動させるために必要な第２操作力とが異なっている構成を有している。
【０００９】
この構成により、アームは、下側第１支軸によって本体に対して水平方向に回動可能に支持されるとともに、下側第２支軸によって上下方向の回動も可能となっている。このため、本体が設置面に対して回動しなくても、照明範囲の選択自由度が確保されることになる。また、本体を設置面に対して首振りする必要がなくなるため、本体に設けられている操作部を使用者に向けて固定することができ、良好な操作性を得ることができる。さらに、電源線の向きや、本体にサービスコンセントを設ける場合にはサービスコンセントの向きを同じ方向へ向けて設けることにより、サービスコンセントの使用性や、電源線が絡まったりするのを防止することができる。
また、本発明のスタンド型照明器具は、前記下側第１支軸を中心として前記本体に対して前記下側連結部を回動させるために必要な第１操作力と、前記上側第２支軸を中心として前記上側連結部に対して前記灯部を回動させるために必要な第２操作力とが異なっている構成を有している。
この構成により、灯部を旋回移動させる際に、灯部をアームに対して優先的に旋回させる場合と、アームを本体に対して優先的に旋回させる場合とを選択的に設定することができる。例えば、第１操作力よりも第２操作力を大きくすると、先にアームが本体に対して旋回するので、アームと灯部を一体的に旋回することができる。このため、灯部をアーム側に畳んで間接照明等として使用する場合には、便利である。一方、第１操作力よりも第２操作力を小さくすると、先に灯部がアームに対して旋回する。このため、アームを直立させた状態で灯部の向きをアームの上下方向移動面に合わせ、灯部をアーム側に畳むことにより、スタンド型照明器具を容易に最小形態に畳むことができる。
【発明の効果】
【００１２】
本発明は、アームを、下側第１支軸によって本体に対して水平方向に回動可能に支持するとともに、下側第２支軸によって上下方向の回動も可能に支持するので、本体が設置面に対して回動しなくても、照明範囲の選択自由度が確保されることになる。また、本体を設置面に対して首振りする必要がなくなるため、本体に設けられている操作部を使用者に向けて固定することができ、良好な操作性を得ることができるという効果を有するスタンド型照明器具を提供することができるものである。
【発明を実施するための最良の形態】
【００１３】
以下、本発明の実施の形態のスタンド型照明器具について、図面を用いて説明する。
図１は本発明の第１の実施の形態のスタンド型照明器具を示す斜視図、図２はスタンド型照明器具の分解斜視図、図３は下側連結部の組立図、図４はアームの分解斜視図、図５は上側連結部の組立図、図６は灯部の分解斜視図、図７（Ａ）は灯部を本体側へ収納する状態を示す斜視図、図７（Ｂ）は正面図、図７（Ｃ）は係合部および被係合部を示す拡大断面図である。
【００１４】
図１に示すように、本発明のスタンド型照明器具１Ａは、例えば机の上面等の設置面２に対して立設可能な本体１０と、下側連結部４０を介して本体１０に連結されたアーム２０と、上側連結部５０を介してアーム２０に連結された灯部３０とを備えている。
【００１５】
図２に示すように、本体１０は、ベース６０の一端に固定されており、ベース６０に対しては、上下方向および水平方向へ回動等の移動ができないようになっている。
ベース６０は、例えば円板状の上蓋６１および底板６２を組み合わせて形成されており、上蓋６１の一端には本体１０を取り付ける取付部６３を有している。取付部６３には、本体１０の下端部に設けられている嵌合突起１７を嵌合させて位置決めし、ネジ等の締結手段によって固定するための嵌合凹部６３ａが設けられている。
従って、ベース６０を設置面２に載置することにより、本体１０の位置および向きは決定されることになる。
【００１６】
図２に示すように、本体１０は、前面が開口した矩形箱状の本体後部１１と本体後部１１の開口を覆う本体前部１２とを有しており、全体矩形箱状となっている。本体前部１２は全体が滑らかに湾曲しており、例えば鉛直軸を中心とした円弧状に湾曲するのが望ましい。本体後部１１の内部空間１１ａには、インバータ等の電気機器を内蔵するブロックケース１３が収容されており、このブロックケース１３にはブロックケース１３内部と接続されている調光スイッチ１４が取り付けられている。調光スイッチ１４を操作する操作部としての調光ツマミ１４ａは、本体前部１２のツマミ穴１２ａから本体１０の外部に突出しており、調光ツマミ１４ａを回すことによって明るさを調整できるようになっている。
【００１７】
ブロックケース１４の下部には、全体Ｌ字形状をした補強金具１５が取り付けられており、この補強金具１５にはサービスコンセント１６が取り付けられている。なお、サービスコンセント１６の前面は、本体後部１１の左側面１１ｌに設けられているコンセント用切欠き１１ｂから本体１０の外部に露出している。これにより、本体１０の左側からサービスコンセント１６を使用することになる（図１参照）。
【００１８】
また、図１および図９に示すように、本体後部１１の背面には、本体１０における操作部である調光ツマミ１４ａが設けられた方向（すなわち、前面）とは別の方向（ここでは背面）から引き出された電力供給用の電源線３を有しており、この電源線３は本体後部１１の背面に設けられた凹部１１ｃから引き出されている。従って、凹部１１ｃの段差寸法は、電源線３の基端部に設けられたブッシングの前後方向の厚さ以上とするのが望ましい。これにより、スタンド型照明器具１Ａを目一杯壁に寄せて使用することができる。
【００１９】
図２および図３に示すように、下側連結部４０は、設置面２に対して略垂直（図２において上下方向）な下側第１支軸Ｌ１を介して本体１０に連結されているとともに、下側第１支軸Ｌ１に対して直交する下側第２支軸Ｌ２を介してアーム２０に連結されている。
【００２０】
すなわち、下側連結部４０では、本体１０の上面（本体後部１１の上面１１ｂ）の上側に軸受金具４１を有しており、本体１０の上面１１ｂを挟んで下側に支持金具４２、回転板４３、締付金具４４を有している。そして、軸受金具４１はネジ４５によって締付金具４４に締結されており、下側第１支軸Ｌ１を中心として水平面内で回転可能に取り付けられている。また、軸受金具４１に設けられている対向した一対の側板４１ａ、４１ａには、各々中央部に軸穴４１ｂが設けられており、下側第２支軸Ｌ２となる軸ネジ４６が設けられている。軸ネジ４６は、図示省略のボルトによって締結されている。なお、軸受金具４１等は、２分割されたケース４７、４７によって左右から挟まれて覆われており、外観を向上させている。
【００２１】
また、図７（Ａ）および（Ｂ）に示すように、本体後部１１の上面には、下側連結部４０が取り付けられており、下側連結部４０の前面中央に該当するケース４７、４７の境界位置には、灯部３０を収納した状態（図９参照）で係止する板状の係合部１８が設けられている。係合部１８は下側第２支軸Ｌ２に対して直交して設けられており、係合部１８の上部には、灯部３０を係合した状態に保持するための例えば部分球状をした係合凸部１８ａが設けられている。
【００２２】
図２および図４に示すように、アーム２０は全体的に扁平な棒状をしており、断面コ字状をした骨組みであるアーム部材２１とアーム部材２１の前面を覆うアームカバー２２とを有している。アーム部材２１の下端部には、対向する一対の例えば円形に拡大された支持部２１ａが設けられており、両支持部２１ａの外側には各々ヒンジ板２３が設けられている。両ヒンジ板２３間は前述した下側連結部４０の軸受金具４１の一対の側板４１ａ、４１ａ間に挟まれて配置され、軸ネジ４６が側版４１ａの軸穴４１ｂを貫通するとともに、ヒンジ板２３およびアーム部材２１の支持部２１ａを貫通している。これにより、アーム２０の下端部は、下側第２支軸Ｌ２である軸ネジ４６を回転中心として、下側連結部４０に回転可能に軸支されることになる。
【００２３】
また、アーム部材２１の一対の支持部２１ａ内側には、２分割された配線カバー２６ａ、２６ａ、配線カバー２６ａの内部に収容されているスペーサ２４ａおよびスペーサ２４ａに取り付けられているトーションバネ２５が設けられている。トーションバネ２５の一端２５ａはアーム部材２１の内面に当接しており、他端は、下側連結部４０に回転しないように取り付けられる配線カバー２６ａに当接している。
【００２４】
これにより、アーム２０は下側連結部４０すなわち本体１０に対して、下側第２支軸Ｌ２を中心として上下方向に回動可能に支持されるとともに、トーションバネ２５の作用により、上向きに付勢され、アーム２０および灯部３０の重さに抗して、アーム２０を所望の角度で停止することができるようになっている。また、前述したように、下側連結部４０は、下側第１支軸Ｌ１を中心として本体１０に対して水平方向へ回転可能となっているので、アーム２０は本体１０に対して、水平方向および上下方向に回転可能に支持されることになる。
【００２５】
なお、図４に示すように、アーム部材２１の上端部も、下端部と同様の構成をしており、支持部２１ｂ、ヒンジ板２３、配線カバー２６ｂ、スペーサ２４ｂおよびトーションバネ（図示省略）等が設けられている。
【００２６】
図２および図５に示すように、アーム２０の上端には上側連結部５０が設けられている。上側連結部５０は、前述した下側連結部４０の下側第２支軸Ｌ２に対して平行（すなわち水平）な上側第１支軸Ｕ１を介してアーム２０の上端部に連結されている。
【００２７】
すなわち、上側連結部５０は前述した下側連結部４０を上下反対にした構造を有しており、灯部３０の下側に軸受金具５１を有していて、灯部３０の取付部３２ａを挟んで上側に支持金具５２、回転板５３、締付金具５４を有している。そして、軸受金具５１はネジ５５によって締付金具５４に締結されており、軸受金具５１は上側第２支軸Ｕ２を中心として、回転可能に灯部３０に支持されることになる。
【００２８】
図５に示すように、軸受金具５１に設けられている対向した一対の側板５１ａ、５１ａには、各々中央部に軸穴５１ｂが設けられており、下側第２支軸Ｌ２と平行な上側第１支軸Ｕ１となる軸ネジ５６が取付けられている。軸ネジ５６は、前述したアーム部材２１の上端の支持部２１ｂおよび配線カバー２６ｂを貫通して設けられており、図示省略のボルトによって締結されている。このため、上側連結部５０はアーム２０に対して上側第１支軸Ｕ１を中心として、上下に回動可能となっている。なお、軸受金具５１等は、２分割されたケース５７、５７によって覆われており、外観を向上させている。
【００２９】
図６に示すように、灯部３０は、例えば下向きに開口した矩形箱状の上セード３１と、この上セード３１の開口に取り付けられる矩形枠状の下セード３２を有している。上セード３１は図６中上側へ滑らかに湾曲しており、前述した本体１０の本体前部１２の断面形状と同じ断面形状とするのが望ましい。下セード３２の内部空間３２ｂには、反射板３３および反射板３３に取付けられているランプ支持バネ３３ａによって把持されるランプ３４を収容している。ランプ３３は一端をランプ支持バネ３３ａに支持されるとともに、他端を下セード３２に取り付けられているソケット３４に支持され且つ導通されている。
【００３０】
また、下セード３２の一端部（図６において左端）には上側連結部５０に取り付けられる取付部３２ａが設けられており、他端側（図６において右端）の端面には、後述する収納状態（図９参照）において、本体１０に設けられた係合部１８に係合される被係合部３６が設けられている（図７参照）。図７（Ｃ）に示すように、被係合部３６は、例えば板状の係合部１８を両側から挟むような凹部を有するコ字状の部材とすることができる。さらに、被係合部３６の内面に凸部３６ａを設け、灯部３０を収納する際に、凸部３６ａが係合部１８の係合凸部１８ａを乗り越えるようにするのが望ましい。これにより、灯部３０の収納状態を確実に保持することができ、運搬時等の際に、不意に灯部３０が本体１０から脱落するのを防止することができる。
【００３１】
次に、スタンド型照明器具１Ａの使用態様について説明する。
図８（Ａ）はスタンド型照明器具の使用状態を示す側面図、図８（Ｂ）は平面図、図９は灯部を収納した状態を示す側面図、図１０は間接照明として使用する状態を示す斜視図であり、（Ａ）は灯部を正面に向けた状態、（Ｂ）は本体に対して灯部を回動させた状態を示す。
【００３２】
図８に示すように、このスタンド型照明器具１Ａは、下側連結部４０および上側連結部５０の作用により、灯部３０を移動させることができるので、種々の態様で使用することができる。図８（Ａ）に示すように、本体１０に対してアーム２０を直立させた状態で、上側連結部５０の上側第１支軸Ｕ１を中心として灯部３０を上下方向に回動させることにより、照明の向きを変えることができる。また、下側第２支軸Ｌ２を中心としてアーム２０の傾きを変えることにより、ランプ３４の高さを変えることができる。さらに、図８（Ｂ）に示すように、下側第１支軸Ｌ１を中心としてアーム２０を本体１０に対して水平方向へ回動させたり、上側第２支軸Ｕ２を中心としてアーム２０に対して灯部３０を回動させることにより、照明範囲を変えることができる。
【００３３】
なお、下側第１支軸Ｌ１を中心として本体１０に対して下側連結部４０を回動させるために必要な第１操作力と、上側第２支軸Ｕ２を中心として上側連結部５０に対して灯部３０を回動させるために必要な第２操作力とを、異なるように設定するのが望ましい。
【００３４】
これにより、灯部３０を旋回移動させる際に、灯部３０をアーム２０に対して優先的に旋回させる場合と、アーム２０を本体１０に対して優先的に旋回させる場合とを選択的に設定することができる。例えば、第１操作力よりも第２操作力を大きくすると、先にアーム２０が本体１０に対して旋回するので、灯部３０を手で押して旋回させる際に、アーム２０と灯部３０を一体的に旋回することができる。このため、灯部３０をアーム側に畳んで間接照明等として使用する場合（図９参照）には、便利である。一方、第１操作力よりも第２操作力を小さくすると、灯部３０を手で押して旋回させると、先に灯部３０がアーム２０に対して旋回する。このため、アーム２０を直立させた状態で灯部３０の向きをアーム２０の上下方向移動面に合わせ、灯部３０をアーム側に畳むことにより、スタンド型照明器具１Ａを容易に最小形態に畳むことができる。
【００３５】
このように、アーム２０は、下側第１支軸Ｌ１によって本体１０に対して水平方向に回動可能に支持されるとともに、下側第２支軸Ｌ２によって上下方向の回動も可能となっているため、本体１０が設置面２に対して回動しなくても、照明範囲の選択自由度が確保されることになる。また、本体１０を設置面２に対して首振りする必要がなくなるため、本体に設けられている操作部である調光ツマミ１４ａを使用者に向けて固定することができ、良好な操作性を得ることができる。さらに、電源線３の向きや、本体１０に設けるサービスコンセント１６の向きを同じ方向へ向けて設けることにより、サービスコンセント１６の使用性を向上させるとともに、電源線３が絡まったりするのを防止することができる。
【００３６】
図９には収納状態が示されている。この状態は、アーム２０を設置面２に対して起立させ（すなわち本体１０の上にアーム２０を直立させ）、上側支軸Ｕ１、Ｕ２を中心として灯部３０を回動させることにより灯部３０をアーム２０に沿わせて折り畳み、本体１０の表面と灯部３０の表面とを同一面に沿わせることにより形成される。これにより、スタンド型照明器具１Ａ全体を最小形態として、壁際等に収納することができるとともに、良好な外観を得ることができる。
【００３７】
また、図９に示す収納状態でランプ３４を点灯させることにより、ランプ３４からの光は反射板３３で反射して壁４に照射され、壁４からの反射光で室内を照らす、いわゆる間接照明として使用することができる。図１０（Ａ）に示すように、灯部３０と本体１０を正面に向けた状態で使用する場合や、図１０（Ｂ）に示すように、本体１０に対して灯部３０を回動させて使用することができる。
なお、灯部３０の上セード３１の外面の湾曲を、本体前部１２の断面形状と同じ断面形状、特に下側連結部４０の下側第１支軸Ｌ１を中心とする円弧状とすることが望ましい。これにより、本体１０に対して灯部３０を回動させることにより間接照明の照明光の向きを変えても、本体１０と灯部３０の表面の面一を維持することができる。
【００３８】
次に、本発明のスタンド型照明器具の第２実施形態について説明する。
図１１（Ａ）は本発明の第２実施形態にかかるスタンド型照明器具を示す斜視図、図１１（Ｂ）は側面図、図１２は本体取付部を下方から見た斜視図、図１３（Ａ）は万力ユニットの斜視図、図１３（Ｂ）は（Ａ）中Ｂ方向から見た万力ユニットの底面図である。なお、前述した第１実施形態にかかるスタンド型照明器具１Ａと共通する部位には同じ符号を付して、重複する説明を省略することとする。
【００３９】
図１１および図１２に示すように、本体１０の下面には万力取付部８０を一体的に有しており、本体１０を設置板５に取り付ける取付台としての万力ユニット７０を取り付けることができるようになっている。図１２に示すように、万力取付部８０では、中央に円筒形の中心台８１を有し、外側には本体１０を支持する円筒形状の支持台８２を有している。また、支持台８２の内側には、本体１０と万力ユニット７０との固定角度を設定するための位置決め突起８３、および万力ユニット７０を取り付けるための袋状の引っ掛け部８４が設けられている。
【００４０】
図１３に示すように、万力ユニット７０は、設置板５の上面に当接する上側挟持板７１縦板７６とから全体Ｌ字状に形成された万力本体７２と、上挟持板７１に対向して下方に設けられている下支持板７３と、設置面２の挟持、解放を行う締付け機構７４を有している。
上挟持板７１の中央には、本体１０の万力取付部８０に設けられている中心台８１が嵌合して万力ユニット７０の位置決めを行う中心穴７１ａが貫通して設けられている。
【００４１】
中心穴７１ａの周囲には、複数個（ここでは２個）の位置決め穴７１ｂ、７１ｃが中心穴７１ａを中心とする同心円状に設けられており、本体１０の万力取付部８０に設けられている位置決め突起８３をいずれかの位置決め穴７１ｂ、７１ｃに挿嵌してネジ７７で固定することにより、本体１０に対する万力ユニット７０の向きを選択できるようになっている。なお、ネジ７７の頭が上挟持板７１の下面から突出しないようにする。
【００４２】
例えば、位置決め突起８３を位置決め穴７１ｂに挿嵌してネジ７７で締結することにより、本体１０と万力ユニット７０の向きが一致する。また、位置決め突起８３を位置決め穴７１ｃに挿嵌することにより、本体１０と万力ユニット７０の向きを例えば６０度ずらすことができる。これにより、設置板２に対する万力ユニット７０の設置箇所に対応して万力ユニット７０および本体１０の相対位置を適宜選択することができるので、良好な照明を得ることができる。
【００４３】
図１３に示すように、上挟持板７１の上面には、本体１０の引っ掛け部８４に引っ掛けて本体１０を固定するためのＬ字状をした引っ掛け部７５を有している。この引っ掛け部７５の幅は、本体１０の引っ掛け部８４の幅よりも十分に小さくしておき、本体１０に対して万力ユニット７０の向きをずらして取り付ける際に、邪魔にならないようにしておく。
また、下支持板７３は、万力本体７２の縦板７６に設けられている切欠き７６ａ（図１１（Ａ）参照）を貫通して縦板７６の裏面に当接して支持される縦支持板７３ａを有している。これにより、下支持板７３は、上挟持板７１から所定の距離で対向して固定されることになる。
【００４４】
下支持板７３には締付け機構７４が設けられている。締付け機構７４は、下支持板７３の中央部に設けられているネジ穴７３ｂに螺合して昇降する締付けネジ７４ａと、締付けネジ７４ａの上端部に取り付けられている下挟持板７４ｂと、締付けネジ７４ａの下端部設けられて締付けネジ７４ａを回転させる取っ手７４ｃを有している。
従って、上挟持板７１と下挟持板７３との間に設置板５を位置させ、取っ手７４ｃによって締付けネジ７４ａを回転させることにより下挟持板７３を上昇させて、上挟持板７１との協働で設置面２を挟持して、本体１０を設置面２に固定することができる。
【００４５】
図１４には、スタンド型照明器具１Ｂの収納状態および間接照明としての使用状態が示されている。この状態は、アーム２０を設置板５に対して起立させ（すなわち本体１０の上にアーム２０を直立させ）、上側支軸Ｕ１、Ｕ２を中心として灯部３０を回動させることにより灯部３０をアーム２０に沿わせて折り畳み、本体１０の表面と灯部３０の表面とを同一面に沿わせることにより形成される。これにより、スタンド型照明器具１Ｂ全体を最小形態として、壁際等に収納することができるとともに、良好な外観を得ることができる。
【００４６】
また、図１４に示す収納状態でランプ３４を点灯させることにより、ランプ３４からの光は反射板３３で反射して壁４に照射され、壁４からの反射光で室内を照らす、いわゆる間接照明として使用することができる。
なお、灯部３０の上セード３１の外面の湾曲を、本体前部１２の断面形状と同じ断面形状、特に下側連結部４０の下側第１支軸Ｌ１を中心とする円弧状とすることが望ましい。これにより、本体１０に対して灯部３０を回動させることにより間接照明の照明光の向きを変えても、本体１０＆灯部３０の表面の面一を維持することができる。
【００４７】
以上、説明した第２実施形態にかかるスタンド型照明器具１Ｂによれば、アーム２０は、下側第１支軸Ｌ１によって本体１０に対して水平方向に回動可能に支持されるとともに、下側第２支軸Ｌ２によって上下方向の回動も可能となっている。このため、本体１０が万力ユニット７０によって設置板５に対して回動しないように固定されていても、照明範囲の選択自由度が確保されることになる。また、本体１０を万力ユニットによって設置板５に対して固定するため、本体１０に設けられている操作部である調光ツマミ１４ａを使用者に向けて固定することができ、良好な操作性を得ることができる。さらに、電源線３の向きや、本体１０のサービスコンセント１６の向きを同じ方向へ向けて設けることにより、サービスコンセント１６の使用性を向上させるとともに、電源線３が絡まったりするのを防止することができる。
【００４８】
なお、本発明のスタンド型照明器具は、前述した各実施形態に限定されるものでなく、適宜な変形，改良等が可能である。
例えば、前述した各実施形態においては、本体１０の断面形状として湾曲した前面と矩形箱状の側面および背面を有する形状を例示したが、この他、例えば円筒形状とすることもできる。
【産業上の利用可能性】
【００４９】
以上のように、本発明にかかるスタンド型照明器具は、アームを、下側第１支軸によって本体に対して水平方向に回動可能に支持するとともに、下側第２支軸によって上下方向の回動も可能に支持するので、本体が設置面に対して回動しなくても、照明範囲の選択自由度が確保されることになる。また、本体を設置面に対して首振りする必要がなくなるため、本体に設けられている操作部を使用者に向けて固定することができ、良好な操作性を得ることができるという効果を有し、机上等の照明として用いることができ、インテリアとしても用いることができるスタンド型照明器具等として有用である。
【図面の簡単な説明】
【００５０】
【図１】本発明の第１の実施の形態のスタンド型照明器具を示す斜視図
【図２】スタンド型照明器具の分解斜視図
【図３】下側連結部の組立図
【図４】アームの分解斜視図
【図５】上側連結部の組立図
【図６】灯部の分解斜視図
【図７】（Ａ）は灯部を本体側へ収納する状態を示す斜視図、（Ｂ）は正面図、（Ｃ）は係合部および被係合部を示す拡大断面図
【図８】（Ａ）はスタンド型照明器具の使用状態を示す側面図、（Ｂ）は平面図
【図９】灯部を収納した状態を示す側面図
【図１０】間接照明として使用する状態を示す斜視図であり、（Ａ）は灯部を正面に向けた状態、（Ｂ）は本体に対して灯部を回動させた状態
【図１１】（Ａ）は本発明の第２実施形態にかかるスタンド型照明器具を示す斜視図、（Ｂ）は側面図
【図１２】本体取付部を下方から見た斜視図
【図１３】（Ａ）は万力ユニットの斜視図、（Ｂ）は（Ａ）中Ｂ方向から見た万力ユニットの底面図
【図１４】収納状態および間接照明の使用状態を示す斜視図
【図１５】従来の照明器具を示す斜視図
【図１６】従来の電気スタンドを示す斜視図
【符号の説明】
【００５１】
１Ａ  スタンド型照明器具
２  設置面
１０  本体
２０  アーム
３０  灯部
４０  下側連結部
５０  上側連結部
Ｌ１  下側第１支軸
Ｌ２  下側第２支軸
Ｕ１  上側第１支軸
Ｕ２  上側第２支軸
【図１】
0005037287.tif 000002
【図２】
0005037287.tif 000003
【図３】
0005037287.tif 000004
【図４】
0005037287.tif 000005
【図５】
0005037287.tif 000006
【図６】
0005037287.tif 000007
【図７】
0005037287.tif 000008
【図８】
0005037287.tif 000009
【図９】
0005037287.tif 000010
【図１０】
0005037287.tif 000011
【図１１】
0005037287.tif 000012
【図１２】
0005037287.tif 000013
【図１３】
0005037287.tif 000014
【図１４】
0005037287.tif 000015
【図１５】
0005037287.tif 000016
【図１６】
0005037287.tif 000017